(57)【要約】      （修正有）【課題】広告画像を端末機器の画面に表示させて評価点を与えることにより販促活動を行うとともに、広告画像の無駄な流出を抑制する広告画像表示加点システムを提供する。【解決手段】広告画像を端末機器２００の表示部に表示するとともに端末機器２００に対して評価点を付与する広告画像表示加点システム１００であって、端末機器２００に配信する広告画像データを保存・蓄積・管理する配信画像管理部１１０と、広告画像データを端末機器２００に配信するとともに端末機器２００の広告画像データを管理する画面表示処理部１２０と、端末機器２００に配送された広告画像の表示時間を広告画像データごとに累計する経過時間測定処理部１３０と、表示時間が所定時間を経過したことを判断するとともに所定時間を経過した場合に評価点を付与する評価点付与処理部１４０と、からなる。【選択図】図１
2016099907.tif 000002
【特許請求の範囲】
【請求項１】
広告画像を端末機器の表示部に表示するとともに広告画像を表示可能状態とした端末機器に対して評価点を付与する広告画像表示加点システムにおいて、
前記広告画像表示加点システムは、ユーザが任意に選択した一または複数からなる広告画像データを端末機器に転送するとともに、該広告画像データが表示可能状態とされた時間を広告画像データごとに累計して所定の時間を計測加算し、累計が所定時間を経過した場合に評価点を付与するためのシステムが、端末機器に配信する広告画像データを保存・蓄積・管理する配信画像管理部と、一または複数からなる広告画像データを端末機器に配信するとともに端末機器の一または複数からなる広告画像データを管理する画面表示処理部と、端末機器に配送された一または複数からなる広告画像データの表示可能状態時間を広告画像データごとに累計する経過時間測定処理部と、前記表示可能状態時間が所定時間を経過したことを判断するとともに所定時間を経過した場合に評価点を付与する評価点付与処理部と、からなることを特徴とする広告画像表示加点システム。
【請求項２】
前記広告画像表示加点システムは、ユーザによる任意の広告画像データの選択を可能とするため、前記配信画像管理部が保存・蓄積・管理している広告画像データを端末機器の画面上に配信掲載する配信処理部を装備したことを特徴とする請求項１記載の広告画像表示加点システム。
【請求項３】
前記画面表示処理部は、端末機器に配信された一または複数からなる広告画像データを経過時間測定処理部による所定時間経過判断に伴って切り替えて端末機器に表示することを特徴とする請求項１記載の広告画像表示加点システム。
【請求項４】
前記広告画像表示加点システムは、端末機器に配信された複数からなる広告画像データを複数選択して順次または同時に表示する複数表示設定処理部を装備したことを特徴とする請求項１記載の広告画像表示加点システム。
【請求項５】
前記画面表示処理部は、ユーザからの要求に応じて前記端末機器の画面上における広告画像データの表示可能状態・非表示可能状態の切替えを許可する広告画像表示許可手段と、前記端末機器の前記広告画像データへのアクセスを制限するアクセス制限手段とを装備したことを特徴とする請求項１記載の広告画像表示加点システム。
【請求項６】
前記経過時間測定処理部は、端末機器の画面上における広告画像データの表示可能状態・非表示可能状態を検知する表示可能設定認識手段と、広告画像データの表示可能状態時間を累計する表示可能状態時間累計手段と、累計された広告画像データの表示可能状態時間を記憶保存する累計時間記憶手段とからなり、表示可能設定認識手段が広告画像データの表示可能状態を検知した際に表示可能状態時間累計手段が広告画像データの表示可能状態時間を累計し累計時間記憶手段に記憶保存することを特徴とする請求項１記載の広告画像表示加点システム。
【請求項７】
前記評価点付与処理部は、前記経過時間測定処理部の累計時間記憶手段に記憶保存された広告画像データ毎に累計された表示可能状態時間を参照して、表示可能状態時間が所定時間を経過したことを判断して端末機器に対して評価点を付与することを特徴とする請求項１記載の広告画像表示加点システム。
【請求項８】
前記広告画像表示加点システムは、ユーザによるアンケートデータの入力処理を行うための広告画像評価手段を装備しており、前記評価点付与処理部は、広告画像評価手段によりユーザがアンケートデータを入力した際に、ユーザの端末機器に対して評価点を付与することを特徴とする請求項１記載の広告画像表示加点システム。
【請求項９】
前記広告画像表示加点システムは、広告画像データに含まれる文字をテキストデータに変換するテキスト情報変換処理部と、該変換されたテキストデータをＳＮＳに投稿する投稿処理部と、を装備したことを特徴とする請求項１記載の広告画像表示加点システム。
【請求項１０】
前記投稿処理部は、ＳＮＳサイトに前記テキスト情報変換処理部によって変換されたテキストデータを送信するとともに、他のユーザに対して前記テキストデータを閲覧させ、または前記テキストデータを送信および／または共有可能とすることを特徴とする請求項９記載の広告画像表示加点システム。
【請求項１１】
前記広告画像表示加点システムは、広告画像データの購入時に、アクセス制限手段によって制限された端末機器の広告画像データへのアクセスを解除・許可する購買画像処理部と、広告画像データの購入の対価の支払いの有無を判断する支払処理部と、を装備したことを特徴とする請求項１記載の広告画像表示加点システム。
【請求項１２】
広告画像表示加点システムが、端末機器に配信する広告画像データを保存・蓄積・管理する配信画像管理部と、広告画像データを端末機器に配信するとともに端末機器における広告画像データを管理する画面表示処理部と、端末機器に配送された広告画像データの表示可能状態時間を広告画像データごとに累計する経過時間測定処理部と、端末機器に対して評価点を付与する評価点付与処理部と、からなり、
ユーザが前記広告画像データと対応する広告関連施設を訪問した場合に評価点を付与するため、前記広告画像表示加点システムは、ユーザが広告関連施設を訪問したことを検知する訪問確認手段を装備するとともに、前記評価点付与処理部は、前記訪問確認手段によって検知された情報からユーザの広告関連施設の訪問の有無の判断処理を行って評価点を付与する事を特徴とする広告画像表示加点システム。
【請求項１３】
広告画像表示加点システムが、端末機器に配信する広告画像データを保存・蓄積・管理する配信画像管理部と、広告画像データを端末機器に配信するとともに端末機器における広告画像データを管理する画面表示処理部と、端末機器に配送された広告画像データの表示可能状態時間を広告画像データごとに累計する経過時間測定処理部と、端末機器に対して評価点を付与する評価点付与処理部と、からなり、
ユーザが広告画像データと対応する広告関連施設を訪問した場合にＡＲ撮影を可能とするため、前記広告画像表示加点システムは、ユーザが広告関連施設を訪問したことを検知する訪問確認手段と、前記訪問確認手段によって検知された情報からユーザの広告関連施設の訪問の有無を判断してＡＲコンテンツの提供対象であることの判断処理を行うＡＲ処理部と、を装備した事を特徴とする広告画像表示加点システム。
【発明の詳細な説明】
【技術分野】
【０００１】
本発明は、スマートフォンや携帯電話等の端末機器に画像データを提供するためのシステムに関し、特に、広告画像を端末機器の画面に表示可能な状態となっている累計時間が所定の時間を経過した場合に評価点を与えることにより販促活動を行うことを可能とするための、広告画像表示加点システムに関する。
【背景技術】
【０００２】
従来より、様々な媒体を用いて広告を行う販売促進活動に供されるシステムに関する各種システムが開発されており、効率よく、かつ効果的な広告効果を得ることを可能とする装置、システムが提供されている。広告は、現在では、テレビや雑誌等の媒体の他、主にインターネットを介した広告が多数使用されており、如何に需要者に広告を認識してもらえるかが、販促活動の成功のカギとなっている。
【０００３】
例えば、特開２０１４−１７４７００号公報では、広告ページを提供するための装置に関する技術として、広告ページ提供装置に装備された計数部が複数のサービスに係る広告ページに遷移した回数をサービス毎に計数し、計数された回数に基づいてサービス選択部が各サービスの中から特定の広告枠に表示するサービスを選択し、生成部がネットワークを介して端末装置に提供する選択されたサービスの広告ページを生成する技術が開示されている。通常、インターネットを介してブラウザ等に表示される広告サイトには、異なる広告主による広告が、時分割で交互に表示され、あるいは混在して表示されたりするが、売り上げが比較的大きい広告主と、そうでない広告主との間で全く同じ扱いがなされると、不公平感が生じるという問題があったが、上記技術により、広告ページの内容についての不公平感を緩和することが可能となる旨が示唆されている。
【０００４】
上記技術によれば、効率よい広告活動を行うことが可能となると考えられる。しかしながら、需要者が広告を見ることが重要であるが、広告を見ることを促進するという点では、充分な技術とは言えなかった。すなわち、効果的な広告効果を得ることが可能となっているとは必ずしも言えないという問題があった。
【０００５】
また、特開２０１２−３３０５１号公報では、広告データを閲覧するユーザにポイントを付与するための技術として、ポイント管理装置が配信する広告を閲覧しているユーザにポイントを付与し、ユーザは、事前にポイント管理装置にアクセスして、どの広告主の店舗でクーポンを使用するかを指定してクーポンへの引換え予約を行ない、店舗に設置された店舗端末が、ユーザの携帯端末を通して取得したユーザＩＤを用いてポイント管理装置にクーポン発行確認を行い、クーポンを発行する技術が開示されている。ポイント管理装置は、クーポンへの引換期限を過ぎた場合、引換え予約を削除し、引換え予約時に利用したポイントを再び他の特典への引換に利用可能とする構成である。これにより、事前にポイントを利用した特典の引換を予約するとともに、特典に引換えられなかった場合にはそのポイントを再び利用可能とすることが可能となる旨が示唆されており、効率よい広告活動を行うことが可能となると考えられる。
【０００６】
しかしながら、上記技術では、ユーザは広告データを入手するのみにとどまり、広告から得られる商品やサービスのイメージ等を認識することはなく、効果的な広告効果を得ることが可能となっているとは必ずしも言えなかった。また、現在の広告は様々なデザインが施され、広告画像自体に価値を見出す可能性が充分にあるが、上記技術による広告を行うと、価値ある画像が容易に流出することとなり、広告主が思わぬところで不利益を蒙るという深刻な問題が内在していた。
【０００７】
そこで、広告画像を携帯端末機器の画面に表示させて評価点を与えることにより販促活動を行うことを可能とするとともに、該広告画像を充分にプロテクトして無駄な流出を抑制することで、効率的・効果的な広告効果を得ることを可能とするシステムの開発が望まれていた。
【特許文献１】特開２０１４−１７４７００号公報
【特許文献２】特開２０１２−３３０５１号公報
【発明の開示】
【発明が解決しようとする課題】
【０００８】
本発明は、スマートフォンや携帯電話等の端末機器に、ユーザが任意に選択した広告画像データを提供するためのシステムであって、特に、広告画像を端末機器の画面に表示し、または表示可能な状態となっている累計時間が所定の時間を経過した場合に評価点を与えることにより販促活動を行うことを可能とするとともに、広告画像を充分にプロテクトして無駄な流出を抑制することで、効率的・効果的な広告効果を得ることを可能とするための、広告画像表示加点システムを提供することを目的とする。
【課題を解決するための手段】
【０００９】
上記の目的を達成するために本発明に係る広告画像表示加点システムは、広告画像を端末機器の表示部に表示するとともに広告画像を表示可能状態とした端末機器に対して評価点を付与する広告画像表示加点システムであって、前記広告画像表示加点システムは、ユーザが任意に選択した一または複数からなる広告画像データを端末機器に転送するとともに、該広告画像データが表示可能状態とされた時間を広告画像データごとに累計して所定の時間を計測加算し、累計が所定時間を経過した場合に評価点を付与するためのシステムが、端末機器に配信する広告画像データを保存・蓄積・管理する配信画像管理部と、一または複数からなる広告画像データを端末機器に配信するとともに端末機器の一または複数からなる広告画像データを管理する画面表示処理部と、端末機器に配送された一または複数からなる広告画像データの表示可能状態時間を広告画像データごとに累計する経過時間測定処理部と、前記表示可能状態時間が所定時間を経過したことを判断するとともに所定時間を経過した場合に評価点を付与する評価点付与処理部と、からなる構成である。
【００１０】
また、前記広告画像表示加点システムは、ユーザによる任意の広告画像データの選択を可能とするため、前記配信画像管理部が保存・蓄積・管理している広告画像データを端末機器の画面上に配信掲載する配信処理部を装備した構成である。
また、前記画面表示処理部は、端末機器に配信された一または複数からなる広告画像データを経過時間測定処理部による所定時間経過判断に伴って切り替えて端末機器に表示する構成である。
【００１１】
また、前記広告画像表示加点システムは、端末機器に配信された複数からなる広告画像データを複数選択して順次または同時に表示する複数表示設定処理部を装備した構成でもある。
また、前記画面表示処理部は、ユーザからの要求に応じて前記端末機器の画面上における広告画像データの表示可能状態・非表示可能状態の切替えを許可する広告画像表示許可手段と、前記端末機器の前記広告画像データへのアクセスを制限するアクセス制限手段とを装備した構成である。
【００１２】
また、前記経過時間測定処理部は、端末機器の画面上における広告画像データの表示可能状態・非表示可能状態を検知する表示可能設定認識手段と、広告画像データの表示可能状態時間を累計する表示可能状態時間累計手段と、累計された広告画像データの表示可能状態時間を記憶保存する累計時間記憶手段とからなり、表示可能設定認識手段が広告画像データの表示可能状態を検知した際に表示可能状態時間累計手段が広告画像データの表示可能状態時間を累計し累計時間記憶手段に記憶保存する構成である。
【００１３】
また、前記評価点付与処理部は、前記経過時間測定処理部の累計時間記憶手段に記憶保存された広告画像データ毎に累計された表示可能状態時間を参照して、表示可能状態時間が所定時間を経過したことを判断して端末機器に対して評価点を付与する構成である。
また、前記広告画像表示加点システムは、ユーザによるアンケートデータの入力処理を行うための広告画像評価手段を装備しており、前記評価点付与処理部は、広告画像評価手段によりユーザがアンケートデータを入力した際に、ユーザの端末機器に対して評価点を付与する構成である。
【００１４】
また、前記広告画像表示加点システムは、広告画像データに含まれる文字をテキストデータに変換するテキスト情報変換処理部と、該変換されたテキストデータをＳＮＳに投稿する投稿処理部と、を装備した構成である。
また、前記投稿処理部は、ＳＮＳサイトに前記テキスト情報変換処理部によって変換されたテキストデータを送信するとともに、他のユーザに対して前記テキストデータを閲覧させ、または前記テキストデータを送信および／または共有可能とする構成でもある。
【００１５】
また、前記広告画像表示加点システムは、広告画像データの購入時に、アクセス制限手段によって制限された端末機器の広告画像データへのアクセスを解除・許可する購買画像処理部と、広告画像データの購入の対価の支払いの有無を判断する支払処理部と、を装備した構成である。
【００１６】
また、本発明に係る広告画像表示加点システムは、端末機器に配信する広告画像データを保存・蓄積・管理する配信画像管理部と、広告画像データを端末機器に配信するとともに端末機器における広告画像データを管理する画面表示処理部と、端末機器に配送された広告画像データの表示可能状態時間を広告画像データごとに累計する経過時間測定処理部と、端末機器に対して評価点を付与する評価点付与処理部と、からなり、ユーザが前記広告画像データと対応する広告関連施設を訪問した場合に評価点を付与するため、前記広告画像表示加点システムは、ユーザが広告関連施設を訪問したことを検知する訪問確認手段を装備するとともに、前記評価点付与処理部は、前記訪問確認手段によって検知された情報からユーザの広告関連施設の訪問の有無の判断処理を行って評価点を付与する構成でもある。
【００１７】
更に、本発明に係る広告画像表示加点システムは、端末機器に配信する広告画像データを保存・蓄積・管理する配信画像管理部と、広告画像データを端末機器に配信するとともに端末機器における広告画像データを管理する画面表示処理部と、端末機器に配送された広告画像データの表示可能状態時間を広告画像データごとに累計する経過時間測定処理部と、端末機器に対して評価点を付与する評価点付与処理部と、からなり、ユーザが広告画像データと対応する広告関連施設を訪問した場合にＡＲ撮影を可能とするため、前記広告画像表示加点システムは、ユーザが広告関連施設を訪問したことを検知する訪問確認手段と、前記訪問確認手段によって検知された情報からユーザの広告関連施設の訪問の有無を判断してＡＲコンテンツの提供対象であることの判断処理を行うＡＲ処理部と、を装備した構成でもある。
【発明の効果】
【００１８】
本発明は、上記詳述した通りの構成であるので、以下のような効果がある。
１．端末機器における広告画像データの表示可能状態時間の累計が所定時間を経過した場合に評価点を付与する構成としたため、ユーザに広告画像を見るインセンティブを与えることが可能となる。また、配信画像管理部が端末機器に配信する広告画像データを保存・蓄積・管理するため、画像の意図せぬ流出を抑制することが可能となる。また、経過時間測定処理部が広告画像データごとに表示可能状態時間を累計する構成としたため、複数の広告画像を同時に処理することが可能となる。
２．広告画像表示加点システムに、広告画像データを端末機器の画面上に配信掲載するための配信処理部を装備したため、ユーザによる任意の広告画像データの選択が可能となる。
【００１９】
３．経過時間測定処理部による所定時間が経過したかどうかの判断に伴い、画面表示処理部が広告画像データを切り替えて端末機器に表示する構成としたため、複数の画像をストックしておき、順番に端末機器の画面に表示する事が可能となる。
４．広告画像表示加点システムが複数表示設定処理部を装備したため、広告画像データを複数選択して端末機器の画面に順次または同時に表示することが可能となる。
【００２０】
５．画面表示処理部にアクセス制限手段を設けたため、端末機器に転送されている広告画像データへ直接アクセスすることが制限され、画像データの意図せぬ流出を抑制することが可能となる。
６．表示可能設定認識手段が広告画像データの表示可能状態を検知した際に表示時間累計手段が広告画像の表示可能状態時間を累計する構成としたため、正確に広告画像の表示可能状態時間を累計する事が可能となる。
７．評価点付与処理部が、広告画像毎に累計された表示可能状態時間を参照した上で、画像の表示可能状態時間が所定時間を経過したかどうかを判断するため、評点処理の効率化を図ることが可能となる。
【００２１】
８．広告画像表示加点システムが広告画像評価手段を装備したため、ユーザからの広告画像の評価に関するアンケートを収集することが可能となる。また、アンケートを入力したユーザには評価点（ポイント）が付与されるため、アンケート記載のインセンティブを与えることが可能となる。
９．テキスト情報変換処理部を装備したため、広告画像データに含まれる文字をテキストデータに変換可能となり、広告画像を他のユーザに紹介する場合に、画像が意図せず流出することを防止できる。
【００２２】
１０．広告画像表示加点システムに投稿処理部を設けたため、テキストデータをＳＮＳサイトに投稿する事が可能となり、多くのユーザに広告画像を広める事が可能となり、効果的な広告活動を行う事が可能となる。
１１．広告画像表示加点システムに購買画像処理部を設けたため、広告画像データを販売目的物とすることが可能となり、アクセス制限手段による画像データへのアクセス制限を解除するのみで、画像を自由に使用することが可能となる。
【００２３】
１２．広告画像表示加点システムが訪問確認手段を装備したため、ユーザの広告関連施設の訪問の有無の判断処理を行って評価点を付与することが可能となり、広告活動を更に効果的なものとすることが可能となる。
１３．広告画像表示加点システムがＡＲ処理部を装備したため、ＡＲコンテンツの提供対象であることの判断処理が可能となり、ユーザが有する広告画像データに対応する広告関連施設を訪問した場合にＡＲ撮影を行うことが可能となるため、ユーザによる広告画像データの取得や広告関連施設への訪問を促し、より効果的な広告活動を行う事が可能となる。
【発明を実施するための最良の形態】
【００２４】
以下、本発明に係る広告画像表示加点システムを、図面に示す実施例に基づいて詳細に説明する。図１は、本発明に係る広告画像表示加点システムの基本フロー図であり、図２は、画像表示処理時のフロー図である。図３は、ＳＮＳサイトへの投稿処理時のフロー図であり、図４は、広告画像データの購入時のフロー図である。図５は、広告関連施設の訪問時のフロー図であり、図６は、ＡＲ撮影時のフロー図である。
【００２５】
本発明に係る広告画像表示加点システム１００は、図１に示すように、配信画像管理部１１０と、画面表示処理部１２０と、経過時間測定処理部１３０と、評価点付与処理部１４０と、からなり、広告画像データ１０を端末機器２００に転送して表示部に表示し、一定時間表示可能状態とした場合には該広告画像データ１０を表示した端末機器２００に対して評価点を付与する広告活動、販売促進活動を支援するシステムである。
【００２６】
より詳しくは、広告画像表示加点システム１００は、ユーザが任意に選択した一または複数からなる広告画像データ１０をユーザの端末機器２００に転送する処理を行う。転送した広告画像データ１０が表示可能状態とされた時間を広告画像データ１０ごとに累計して保存することで、予め設定された所定の時間を計測加算する。累計した広告画像データ１０の表示可能状態時間が所定時間を経過した場合にユーザの端末機器２００に対して評価点を付与する構成である。
なお、表示可能状態とは、本実施例では、広告画像データ１０が端末機器２００の画面上に表示されている状態の経過時間の他、表示されていなくとも端末機器２００が使用可能な状態（通電状態）であって、ユーザによる端末機器２００の使用時にいつでも広告画像データ１０を端末機器２００の画面に表示できる、スタンバイ状態である時間も含むものである。
【００２７】
配信画像管理部１１０は、図１に示すように、端末機器２００に配信する広告画像データ１０を保存・蓄積し、管理するための装置またはソフトウェアであり、広告主が広告の掲載を希望する広告画像データ１０を一括して管理している。本実施例では、図１に示すように、広告画像表示加点システム１００には広告画像配信受付処理部１１２が更に設けられており、広告画像配信受付処理部１１２が窓口となり、広告主から広告画像データ１０を受信し、配信画像管理部１１０に配信する構成である。また、配信画像管理部１１０は、インターネット等のネットワーク網に接続されたサーバ機からなり、端末機器２００から自由にアクセスする事ができる構成とすることが可能である。
【００２８】
画面表示処理部１２０は、配信画像管理部１１０で保存・管理されている広告画像データ１０をユーザ（端末機器２００）からの要求に応じて端末機器２００に配信するとともに、端末機器２００に配信済みの広告画像データ１０を管理するための装置またはソフトウェアである。広告画像データ１０は、１つのみ配信される場合もあり、複数のデータが同時に送信される事もある。画面表示処理部１２０は、一または複数からなる広告画像データ１０がコピーされたり更に他の端末に転送されることが無いように管理する。
【００２９】
画面表示処理部１２０は、端末機器２００に組み込む構成とすることが可能である。この場合、広告画像データ１０の配信処理はインターネット等のネットワーク網に接続されたサーバ機で行い、広告画像データ１０の管理は端末機器２００（端末機器２００に組み込まれたアプリケーション等）が行う構成とすることが可能である。なお、配信された広告画像データ１０は、端末機器２００のプロテクトされた保存領域に保存する構成とすることが可能である。この場合には、広告画像データ１０の配信処理は１回で済む。また、広告画像データ１０を表示するたびにサーバ機が端末機器２００に配信し、非表示の際には端末機器２００から削除する構成とすることも可能である。また、画面表示処理部１２０は、サーバ機に組み込む構成とすることが可能である。この場合には、サーバ機が広告画像データ１０の配信処理と配信後の管理を一括して行う構成となっている。
【００３０】
経過時間測定処理部１３０は、画面表示処理部１２０によって端末機器２００に配送された広告画像データ１０の表示可能状態時間（広告画像データ１０が画面上に表示されている状態の時間、および、端末機器２００の使用時にいつでも広告画像データ１０を画面に表示できるスタンバイ状態の時間）を累計するための装置またはソフトウェアである。端末機器２００に配送された広告画像データ１０は、所定のタイミングで端末機器２００の画面に表示される。これにより、端末機器２００のユーザが広告画像データ１０を認識して製品やサービスの内容を理解する事となる。また、広告画像データ１０はユーザが任意に非表示とすることが可能となっている。
【００３１】
上記のように広告画像データ１０の表示・非表示が繰り返されることとなるが、経過時間測定処理部１３０は広告画像データ１０が端末機器２００の画面に表示可能な状態とされている時間を計測し、累計する。これにより、端末機器２００の画面上に広告画像データ１０が表示可能な状態とされていた合計時間を把握することが可能となる。広告画像データ１０は、１つのみ配信される場合もあり、複数のデータが同時に配信される事もあるが、経過時間測定処理部１３０は、広告画像データ１０の表示可能状態時間を広告画像データ１０ごとに別々に計測し、累計する構成である。
【００３２】
経過時間測定処理部１３０は、端末機器２００に組み込む構成とすることが可能である。この場合、広告画像データ１０の表示可能状態時間の累計処理および保存・管理を端末機器２００（端末機器２００に組み込まれたアプリケーション等）が行う構成となる。また、経過時間測定処理部１３０をインターネット等のネットワーク網に接続されたサーバ機に組み込む構成とすることも可能である。この場合には、端末機器２００から広告画像データ１０の表示可能状態時間を取得し、サーバ機内で累計処理および保存・管理する構成となる。
【００３３】
評価点付与処理部１４０は、経過時間測定処理部１３０が累計した広告画像データ１０の表示可能状態時間が所定時間を経過したかどうかを広告画像データ１０毎に判断する。所定時間を経過したと判断した場合には、ユーザ（端末機器２００）に対して評価点を付与する。これにより、広告画像データ１０が所定の時間端末機器２００の画面に表示可能状態とされ、広告の内容をユーザが認識し理解した段階でユーザ（端末機器２００）に評価点が与えられることになるため、ユーザは、評価点を得る為に広告画像データ１０を表示可能状態にして閲覧するインセンティブが働き、効率的・効果的な広告効果を得ることが可能となる。なお、本実施例では、前記所定時間は２４時間に設定されているが、これに限定されることはなく、システムの運用・管理者が自由に設定可能な構成とする事も可能であり、画像毎に所定時間を設定する構成とすることも可能である。
【００３４】
評価点付与処理部１４０は、本実施例では、インターネット等のネットワーク網に接続されたサーバ機に組み込む構成とすることが可能である。サーバ機内の評価点付与処理部１４０は、サーバ機または端末機器２００から広告画像データ１０の累計表示可能状態時間を取得し、所定時間の経過の有無を判断する。評価点付与処理部１４０を端末機器２００（端末機器２００に組み込まれたアプリケーション等）に組み込む構成とすることも可能であるが、ユーザにより不正に評価点を加算される可能性が少なからず存在するため、サーバ機に組み込む構成とすることが望ましい。
【００３５】
本実施例では、端末機器２００はスマートフォンや携帯電話機など、携帯可能な端末を主とする構成である。広告画像データ１０は、スマートフォンや携帯電話機などのロック画面（スリープ状態のスマートフォンを起動させた際に表示される画面であり、誤動作や不正使用を回避するために入力操作等が制限された画面のこと）または待ち受け画面（通常の使用状態で、入力操作が可能な画面（背景）であり、スマートフォン等では、多くの場合、アイコンが多数表示されている）に表示される事とし、ユーザがスマートフォンや携帯電話機を利用する際に広告画像データ１０が非表示または見えない状態になる構成となっている。この構成とすることにより、通常はあまり利用しない画面で広告活動を行う事が可能となるとともに、端末機器２００のユーザが機器を利用する際の邪魔にならず、ユーザがストレスを感じることなく広告活動を行う事が可能となる。
【００３６】
なお、上記のように、本実施例ではスマートフォンや携帯電話機などのロック画面または待ち受け画面に広告画像データ１０を表示する構成であるが、これに限定されることはなく、画面の背景や、電源のＯＮ／ＯＦＦ時の画面など、あらゆる場面で広告画像データ１０を表示する構成とすることはもちろん可能である。
【００３７】
また、広告画像表示加点システム１００は、本実施例では、図１に示すようにユーザ管理部７００が装備されている構成となっている。ユーザ管理部７００にはユーザ名、端末機器情報、保有する広告画像データ情報、評価点情報などのユーザ情報を保存し管理するものであり、インターネット等のネットワーク網に接続されたサーバ機に組み込まれる構成である。上記評価点付与処理部１４０が付与した評価点情報をユーザ管理部７００に送信して一括管理する構成とすることが可能である。また、上記経過時間測定処理部１３０が累計した広告画像データ１０毎の表示可能状態時間情報は、本実施例では、後述の累計時間記憶手段１３６に記憶保存する構成であるが、これに限定されることはなく、ユーザ管理部７００で保存管理する構成とすることも可能である。
【００３８】
広告画像表示加点システム１００は、図１に示すように、配信処理部１５０を装備する構成とすることが可能である。配信処理部１５０は、配信画像管理部１１０が保存・蓄積・管理している各種広告画像データ１０を端末機器２００の画面上に配信掲載する装置またはソフトウェアである。ユーザは、配信掲載された各種広告画像データ１０を閲覧して任意の画像を選択し、端末機器２００に表示するよう要求することが可能となる。
【００３９】
配信処理部１５０が配信する広告画像データ１０は、広告画像データ１０の意図せぬ流出を防止する観点から、サンプルデータであることが望ましい。本実施例では、広告画像データ１０に「サンプル」等の文字を重ねて表示させたり、広告画像データ１０を縮小してサムネイル表示とする構成となっているが、これに限定されることはなく、荒い画像への変更・解像度の変更などの処理を施すことも可能である。
【００４０】
配信処理部１５０は、より詳しくは、インターネット等のネットワーク網に接続されたサーバ機に組み込まれており、図１に示すように、広告画像陳列画面４００に表示するフォームを生成して端末機器２００に配信する構成とすることが可能である。また、配信処理部１５０を端末機器２００に組み込む構成とすることも可能である。この場合には、一または複数の広告画像データ１０の配信処理はサーバ機で行い、広告画像データ１０の広告画像陳列画面４００への表示・レイアウト処理は端末機器２００（端末機器２００に組み込まれたアプリケーション等）が行う構成とすることが可能である。
【００４１】
端末機器２００に表示された広告画像陳列画面４００には、図１に示すように、広告画像データ１０と合わせて、配信数表示４１０とタップ数表示４２０と残数表示４３０が掲載されている。配信数表示４１０は、広告画像陳列画面４００に表示された広告画像データ１０がユーザの端末機器２００に配信された件数を広告画像データ１０ごとに表示する欄である。また、タップ数表示４２０は、表示された広告画像データ１０がタップ（選択）された回数を広告画像データ１０ごとに表示する欄である。また、残数表示４３０は、広告画像データ１０の配信件数に制限が設定されている場合に、配信可能な残りの件数を広告画像データ１０ごとに表示する欄である。
【００４２】
次に、ユーザがストックした複数の広告画像データ１０を端末機器２００に表示する方法について説明する。
広告画像表示加点システム１００の画面表示処理部１２０は、図２に示すように、端末機器２００に配信された一または複数からなる広告画像データ１０を、それぞれ経過時間測定処理部１３０による所定時間経過判断に伴い、切り替えて端末機器に表示し或いは表示することを可能にする構成とすることが可能である。本実施例では、広告画像データ１０は同時に複数端末機器２００に配信しストックする事が可能となっているため、配信広告画像データ１０の表示可能状態時間が経過時間測定処理部１３０による測定により所定時間を経過した（評価点の付与対象となった）場合に、画面表示処理部１２０は、次の広告画像データ１０に自動的に切り代えて端末機器２００に表示可能状態にする処理を行う構成である。これにより、所定時間を経過した後に広告画像データ１０が表示されなくなる（または、所定時間が経過したにもかかわらず同じ広告画像データ１０が表示され続ける）ことを防止して、効率よい宣伝広告活動を行う事が可能となる。
【００４３】
また、広告画像表示加点システム１００は、図２に示すように、複数表示設定処理部１６０を装備する構成とすることが可能である。複数表示設定処理部１６０は、端末機器２００に配信された複数の広告画像データ１０を複数選択して、各々の広告画像データ１０を順次に表示可能状態とし、またはすべてを同時に表示可能状態とする処理を行うものである。これにより、ロック画面や待ち受け画面に毎回異なる広告画像データ１０を端末機器２００に表示したり、任意のレイアウトにて広告画像データ１０を端末機器２００に表示することが可能となり、効率的な広告活動を行う事が可能となる。なお、広告画像データ１０を順次画面上に表示する場合、本実施例では、画像の選択順に表示する構成となっているが、表示する順番をユーザが適宜変更できる構成とすることが可能であり、また、ランダム順に表示する構成とする事も可能である。また、複数表示設定処理部１６０は、画面表示処理部１２０と同様に、インターネット等のネットワーク網に接続されたサーバ機に組み込む構成とすることが可能である。この場合、サーバ機がユーザに要求に応じて広告画像データ１０の複数配置・表示処理を行う構成となっている。また、複数表示設定処理部１６０を端末機器２００に組み込む構成とすることも可能である。この場合には、広告画像データ１０の複数配置・表示処理は端末機器２００（端末機器２００に組み込まれたアプリケーション等）が行う構成とすることが可能である。
【００４４】
本実施例では、ユーザがストックした複数の広告画像データ１０の表示方法は、図２に示すように、選択画像ストック画面５００によってユーザ自身が設定することが可能な構成となっている。選択画像ストック画面５００では、広告画像データ１０の表示順の設定や、複数表示させることを希望する場合の画像選択をユーザ自身が行う事を可能としている。端末機器２００には選択画像保管処理部５１０が装備されており、選択画像保管処理部５１０が画面表示処理部１２０から配信された複数の広告画像データ１０をストックしている。通常は、保管された１枚目の広告画像データ１０が端末機器２００の画面に表示可能状態となる。経過時間測定処理部１３０が広告画像データ１０の表示可能状態時間を累計し、所定の時間が経過すると、端末機器２００に装備されているプッシュ通知処理部５２０がプッシュ通知を行い、ユーザが設定した次の画像に移行する構成となっている。
【００４５】
また、複数表示設定処理部１６０により広告画像データ１０を複数同時に表示する場合、選択画像保管処理部５１０に保管されている広告画像データ１０のうちユーザが選択した任意の画像を複数表示設定処理部１６０が端末機器２００の画面に表示可能状態にする。経過時間測定処理部１３０は表示可能状態となった複数の広告画像データ１０ごとに、表示可能状態時間を積算する構成である。
【００４６】
一定時間広告画像データ１０が表示可能状態とされない場合、すなわち広告画像データ１０の表示時間の累計処理が一定時間行われていない場合には、プッシュ通知処理部５２０がプッシュ通知を行い、ストックされている次の画像に移行する構成となっている。
【００４７】
なお、画面表示処理部１２０を全てサーバ機に組み込み、広告画像データ１０を端末機器２００に保存させない構成とする場合には、非表示状態では広告画像データ１０は端末機器２００上に存在しないことになるため、広告画像データ１０を表示するたびに、選択画像保管処理部５１０がサーバ機の画面表示処理部１２０に問合せを行い、ユーザが選択した広告画像データ１０を取得する構成とすることが考えられる。
【００４８】
次に、画面表示処理部１２０の構成を説明する。
画面表示処理部１２０には、図１に示すように、広告画像表示許可手段１２２およびアクセス制限手段１２４が装備されている。広告画像表示許可手段１２２は、ユーザからの要求に応じて端末機器２００の画面上における広告画像データ１０の表示可能状態・非表示可能状態の切替えを許可する。また、アクセス制限手段１２４は、広告画像データ１０へのアクセスを制限する手段である。広告画像データ１０は、本実施例では、前述のように画面表示処理部１２０により管理され、端末機器２００のプロテクトされた保存領域に保存する構成となっているが、容易にアクセスされると、広告画像データ１０が意図せず流出する虞がある。広告画像表示許可手段１２２およびアクセス制限手段１２４を設けることにより、端末機器２００に転送されている広告画像データ１０へ直接アクセスすることが制限され、広告画像データ１０の意図せぬ流出を抑制することが可能となる。
【００４９】
次に、経過時間測定処理部１３０の構成を説明する。
経過時間測定処理部１３０は、図１に示すように、表示可能設定認識手段１３２と、表示可能状態時間累計手段１３４と、累計時間記憶手段１３６とからなる。表示可能設定認識手段１３２は、端末機器２００の画面上における広告画像データ１０のステータス、すなわち広告画像データ１０の表示可能状態・非表示可能状態を検知する手段である。また、表示可能状態時間累計手段１３４は、広告画像データ１０の表示可能状態時間を累計する手段である。また、累計時間記憶手段１３６は、累計された広告画像データ１０の表示可能状態時間を記憶保存する記憶領域である。
【００５０】
経過時間測定処理部１３０は、表示可能設定認識手段１３２が端末機器２００上の広告画像データ１０の表示可能状態を検知した場合、表示可能状態時間累計手段１３４が広告画像データ１０の表示可能状態時間を累計し、累計時間記憶手段１３６に記憶保存する構成である。これにより、正確に広告画像データ１０の表示可能状態時間を、広告画像データ１０毎に累計する事が可能となる。
【００５１】
次に、評価点付与処理部１４０の構成を説明する。
評価点付与処理部１４０は、本実施例では、図４および図５に示すように、評価点管理部６００に装備されている。評価点付与処理部１４０は、図１に示すように、経過時間測定処理部１３０の累計時間記憶手段１３６に記憶保存されている広告画像データ１０毎に累計された表示可能状態時間を参照する。表示可能状態時間が所定時間を経過したかどうかを判定し、所定時間を経過したと判断した場合に、端末機器２００に対して評価点を付与する構成である。
【００５２】
本実施例では、前述のように、広告画像表示加点システム１００にユーザ管理部７００が装備されており、ユーザ管理部７００には各種ユーザ情報が保存され管理されている。評価点付与処理部１４０は、端末機器２００に対して評価点を付与するにあたり、ユーザ管理部７００のユーザ情報を参照して該当するユーザに評価点を付与する構成である。
【００５３】
次に、広告画像データ１０をユーザが評価する際の構成について説明する。
広告画像表示加点システム１００は、図３に示すように、広告画像評価手段１７０を装備する構成とすることが可能である。広告画像評価手段１７０は、ユーザによるアンケートデータの入力処理を行うため手段であり、端末機器２００（端末機器２００に組み込まれたアプリケーション等）が処理する構成とすることや、インターネット等のネットワーク網に接続されたサーバ機がフォームを生成して端末機器２００に送信し、サーバ機が直接処理する構成とすることが可能である。
【００５４】
評価点付与処理部１４０は、図３に示すように、広告画像評価手段１７０によりユーザがアンケートデータを入力した場合、ユーザの端末機器２００に対して評価点を付与する処理を行う。評価点付与処理部１４０を設けることにより、ユーザからの広告画像データ１０の評価に関するアンケートを収集することが可能となる。また、評価結果のランク付けを行い、広告主にフィードバックすることが可能となる。更に、アンケートを入力したユーザには評価点が付与されるため、アンケート記載のインセンティブを与えることが可能となり、効果的な広告活動を行う事が可能となる。
【００５５】
また、広告画像表示加点システム１００は、図３に示すように、テキスト情報変換処理部１８０と、投稿処理部１８５を装備する構成とすることが可能である。テキスト情報変換処理部１８０は、広告画像データ１０に含まれる文字をテキストデータに変換する処理を行う装置またはソフトウェアである。また、投稿処理部１８５は、テキスト情報変換処理部１８０によって変換されたテキストデータをＳＮＳに投稿するための装置またはソフトウェアである。これらにより、テキストデータをＳＮＳサイトに投稿する事が可能となる。また、テキストデータをＳＮＳサイトに投稿した場合、図３に示すように、評価点管理部６００の評価点付与処理部１４０は、投稿したユーザに対して評価点を付与する処理を行う。これにより、ユーザにテキストデータの投稿のインセンティブを与えることが可能となり、より効果的な広告活動を行う事が可能となる。
【００５６】
投稿処理部１８５は、ユーザの要求に応じて、ＳＮＳサイトに対し、テキスト情報変換処理部１８０によって変換されたテキストデータを送信する。これにより、他のユーザに対してテキストデータを閲覧させることが可能となる。更に、テキストデータを特定のユーザに送信したり、特定または不特定多数のユーザ間でテキストデータを共有することが可能となる。これにより、多数のユーザに広告画像を広める事が可能となり、効果的な広告活動を行う事が可能となる。
【００５７】
上記広告画像評価手段１７０と、テキスト情報変換処理部１８０と、投稿処理部１８５は、本実施例では、図３に示すように、広告画像詳細画面８００で操作することが可能となっている。広告画像詳細画面８００は、広告画像陳列画面４００で広告画像データ１０を選択した場合に、詳細画面表示処理部４４０が作動して端末機器２００に表示される広告画像データ１０の詳細を表示するための画面であり、少なくとも、広告画像データ１０の表示領域と、お友達紹介ボタン８１０と、広告画像評価ボタン８２０とからなる。お友達紹介ボタン８１０をタップすることにより、テキスト情報変換処理部１８０と投稿処理部１８５が作動し、テキストデータを任意のＳＮＳサイトへ投稿することが可能となる。また、広告画像評価ボタン８２０をタップすることにより、広告画像評価手段１７０が作動し、アンケート記入を行う事が可能な構成となっている。なお、本実施例では、広告画像評価手段１７０と、テキスト情報変換処理部１８０と、投稿処理部１８５は、広告画像陳列画面４００、選択画像ストック画面５００、広告画像詳細画面８００、購買画面９００など、他の画面から操作することも可能な構成となっている。これにより、あらゆる場所から広告画像データ１０の評価やテキスト投稿が可能となり、より効果的な広告活動を行う事が可能な構成となっている。
【００５８】
次に、広告画像データ１０の購入処理について説明する。
広告画像表示加点システム１００は、図４に示すように、購買画像処理部１９０と、支払処理部１９５とを装備した構成である。購買画像処理部１９０は、ユーザによる広告画像データ１０の購入時に、アクセス制限手段１２４によって制限された端末機器２００の広告画像データ１０へのアクセスを解除・許可するための装置またはソフトウェアである。これにより、端末機器２００に存在するプロテクトの掛かった広告画像データ１０に対して、ユーザが自由にアクセスすることが可能となり、利用することが可能となる。
【００５９】
また、支払処理部１９５は、ユーザによる広告画像データ１０の購入時に、対価の支払いが行われたかどうかを判断するための装置またはソフトウェアである。支払処理部１９５が対価の支払いを確認した場合、購買画像処理部１９０を作動させて、アクセス制限手段１２４によって制限された広告画像データ１０へのアクセスを解除・許可する。本実施例では、金銭の支払いによる対価の他、ユーザが保有する蓄積した評価点を対価に充てることが可能な構成となっている。
【００６０】
広告画像データ１０の購入処理は、本実施例では、購買画面９００で行う構成となっている。購買画面９００には、少なくとも、画像選択ボタン（図示せず）と支払方法選択ボタン（図示せず）と購入ボタン（図示せず）が配置されており、ユーザが任意の画像を画像選択ボタンによって選択し、支払方法選択ボタンによって支払方法を選択した後、購入ボタンをタップすることにより広告画像データ１０の購入が可能となる。支払方法選択ボタンにより評価点による支払が選択された場合には、評価点管理部６００に装備されている評価点消費処理部６１０がユーザ管理部７００のユーザ情報に記録されている累計評価点情報を参照し、購入可能な評価点が累積している場合には、対価分を累計評価点情報から差し引いた後、購買画像処理部１９０を作動させる構成となっている。
【００６１】
この構成とすることにより、広告画像データ１０を販売目的物とすることが可能となり、アクセス制限手段１２４による広告画像データ１０へのアクセス制限を解除するのみで、広告画像データ１０を自由に使用・処分することが可能となった。
【００６２】
広告画像表示加点システム１００は、図５に示すように、訪問確認手段３００を装備する構成とすることが可能である。訪問確認手段３００は、ユーザが広告画像データ１０の広告主である広告関連施設を訪問したことを検知するための手段である。
【００６３】
ユーザが広告関連施設を訪問した場合、バーコードリーダ等の店舗設置装置３１０に対してユーザの端末機器２００を操作する。これにより、訪問確認手段３００がユーザが広告関連施設を訪問したことを検知することが可能となる。訪問の検知後、評価点付与処理部１４０が訪問確認手段３００によって検知された情報からユーザの広告関連施設の訪問の有無の判断処理を行った後、ユーザ管理部７００に保存・管理されるユーザ情報にアクセスし、評価点を付与する。これにより、ユーザが広告画像データ１０と対応する広告関連施設を訪問した場合に評価点が付与されることとなり、広告活動を更に効果的なものとすることが可能となる。
【００６４】
広告画像表示加点システム１００は、図６に示すように、ＡＲ処理部３５０を装備する構成とすることが可能である。ＡＲ処理部３５０は、訪問確認手段３００によって検知された情報からユーザの広告関連施設の訪問の有無を判断し、ＡＲコンテンツの提供対象であることの判断処理を行う装置またはソフトウェアである。
【００６５】
ユーザが広告関連施設を訪問した場合、バーコードリーダ等の店舗設置装置３１０に対してユーザの端末機器２００を操作する。これにより、訪問確認手段３００がユーザが広告関連施設を訪問したことを検知することが可能となる。訪問の検知後、ＡＲ処理部３５０がＡＲコンテンツの提供対象であることの判断処理を行う。これにより、ユーザが広告画像データ１０と対応する広告関連施設を訪問した場合にＡＲ撮影が可能となるサービスを受けることが可能となり、ユーザによる広告画像データ１０の取得および広告関連施設への訪問を促すことができ、より効果的な広告活動を行う事が可能となる。
【図面の簡単な説明】
【００６６】
【図１】本発明に係る広告画像表示加点システムの基本フロー図
【図２】画像表示処理時のフロー図
【図３】ＳＮＳサイトへの投稿処理時のフロー図
【図４】広告画像データの購入時のフロー図
【図５】広告関連施設の訪問時のフロー図
【図６】ＡＲ撮影時のフロー図
【符号の説明】
【００６７】
１０    広告画像データ
１００    広告画像表示加点システム
１１０    配信画像管理部
１１２    広告画像配信受付処理部
１２０    画面表示処理部
１２２    広告画像表示許可手段
１２４    アクセス制限手段
１３０    経過時間測定処理部
１３２    表示可能設定認識手段
１３４    表示可能状態時間累計手段
１３６    累計時間記憶手段
１４０    評価点付与処理部
１５０    配信処理部
１６０    複数表示設定処理部
１７０    広告画像評価手段
１８０    テキスト情報変換処理部
１８５    投稿処理部
１９０    購買画像処理部
１９５    支払処理部
２００    端末機器
３００    訪問確認手段
３１０    店舗設置装置
３５０    ＡＲ処理部
４００    広告画像陳列画面
４１０    配信数表示
４２０    タップ数表示
４３０    残数表示
４４０    詳細画面表示処理部
５００    選択画像ストック画面
５１０    選択画像保管処理部
５２０    プッシュ通知処理部
６００    評価点管理部
６１０    評価点消費処理部
７００    ユーザ管理部
８００    広告画像詳細画面
８１０    お友達紹介ボタン
８２０    広告画像評価ボタン
９００    購買画面
【図１】
2016099907.tif 000003
【図２】
2016099907.tif 000004
【図３】
2016099907.tif 000005
【図４】
2016099907.tif 000006
【図５】
2016099907.tif 000007
【図６】
2016099907.tif 000008